(57)【要約】【課題】本発明は、水を含有する表面補正剤を使用して簡便且つ迅速に車両表面の小傷を補正すると共に、撥水性、光沢性、滑り性を付与し、美観向上および表面保護を行うことができる洗車方法および洗車機を提供することを目的とする。【解決手段】洗車機本体１１を前後方向に移動させながら、まず被洗浄車両の洗浄を行い、続いてハイブリッドポリマー剤（表面補正剤）を、トップＨＰハイブリッドポリマーノズル２３とサイドＨＰハイブリッドポリマーノズル２４から高圧で被洗浄車両１２の表面に塗布する。ハイブリッドポリマー剤は、吸着性および撥水性を有するアミノ変性ポリシロキサンと、光沢性および滑り性を有するポリマー微粒子物質と、前記アミノ変性ポリシロキサンおよびポリマー微粒子物質を乳化および分散する、少なくとも非イオン性界面活性剤またはカチオン性界面活性剤の一方と、水から構成する。【選択図】図１
2010125950.tif 000002
【特許請求の範囲】
【請求項１】
被洗浄車両と洗車機本体を前後方向に相対移動させながら、  まず前記被洗浄車両の洗浄を行い、
続いて、吸着性および撥水性を有するアミノ変性ポリシロキサンと、光沢性および滑り性を有するポリマー微粒子物質と、前記アミノ変性ポリシロキサンおよびポリマー微粒子物質を乳化および分散する、少なくとも非イオン性界面活性剤またはカチオン性界面活性剤の一方と、水とから構成される表面補正剤を、高圧にて前記被洗浄車両の表面に塗布すること
を特徴とする洗車方法。
【請求項２】
前記被洗浄車両の洗浄後、前記表面補正剤を塗布する前に、下地剤を、前記被洗浄車両の表面に塗布すること
を特徴とする請求項１に記載の洗車方法。
【請求項３】
前記表面補正剤を、前記被洗浄車両の車幅方向へ揺動させながら、前記被洗浄車両の同じ面へ少なくとも２回塗布すること
を特徴とする請求項１または請求項２に記載の洗車方法。
【請求項４】
前記揺動の速度を、前記被洗浄車両の車高が高いほど速くすること
を特徴とする請求項３に記載の洗車方法。
【請求項５】
被洗浄車両と洗車機本体を前後方向に相対移動させながら、洗浄手段により前記被洗浄車両の洗浄を行うとともに、乾燥手段により被洗浄車両の乾燥を行う洗車機であって、
前記洗車機本体に、
吸着性および撥水性を有するアミノ変性ポリシロキサンと、光沢性および滑り性を有するポリマー微粒子物質と、前記アミノ変性ポリシロキサンおよびポリマー微粒子物質を乳化および分散する、少なくとも非イオン性界面活性剤またはカチオン性界面活性剤の一方と、水から構成される表面補正剤を、前記被洗浄車両に対して高圧で噴射する表面補正剤用高圧噴射ノズル
を備えること
を特徴とする洗車機。
【請求項６】
前記洗車機本体に、下地剤を、前記被洗浄車両に対して噴射する下地剤用噴射ノズルを備え、
前記下地剤用噴射ノズルより前記被洗浄車両の表面に塗布された下地剤上に、前記表面補正剤用高圧噴射ノズルより高圧で前記表面補正剤が塗布されること
を特徴とする請求項５に記載の洗車機。
【請求項７】
前記洗車機本体に、前記表面補正剤用高圧噴射ノズルを前記被洗浄車両の車幅方向へ揺動する揺動装置を備え、
前記表面補正剤用高圧噴射ノズルを前記揺動装置により揺動させながら、前記表面補正剤が、前記被洗浄車両の同じ面へ少なくとも２回塗布されること
を特徴とする請求項５または請求項６に記載の洗車機。
【請求項８】
前記洗車機本体に、前記被洗浄車両車両の車高を検出する車高検出器を設け、
前記揺動の速度を、前記車高検出器にて検出された車高が高いほど速くさせること
を特徴とする請求項７に記載の洗車機。
【発明の詳細な説明】
【技術分野】
【０００１】
本発明は、被洗浄車両を洗車する洗車方法および洗車機、特に門型洗車機を用いた被洗浄車両の表面のコーティングに関するものである。
【背景技術】
【０００２】
従来、門型洗車機を用いた被洗浄車両の表面のコーティングは、アミノ変性ポリシロキサン等のシリコン化合物を界面活性剤により乳化・分散せしめたコーティング剤を、スプレー塗布または洗車機付帯のブラシにて擦り付けることで行われている。その一例として、特許文献１に、アミノ変性ポリシロキサンを非イオン性界面活性剤で乳化し、特定のカチオン性界面活性剤を含有せしめたコーティング剤を自動塗布することが開示されている。
【０００３】
また従来、被洗浄車両の表面の傷は、反応性オルガノシロキサンと触媒を溶剤に溶解または分散質しめた組成物を主に手作業で塗布することで補正され、または研磨材を用いてパフ掛けして表面を研磨修復することで補正されている。その一例として、特許文献２に、湿気硬化性オルガノポリシロキサンと被膜形成調整剤と揮発性ジメチルポリシロキサンとオルガノポリシロキサンとジメチルシリコンオイル（またはアルキル変性シリコン等）から成る小傷修復兼つや出し剤を使用して傷を補正することが開示され、また特許文献３に、屈折率１．４００以上の湿気硬化性シリコンオリゴマーと硬化触媒と希釈剤を配合した艶出しコーティング剤を使用して傷を補正することが開示されている。
【特許文献１】特開平８−１８８７４５号公報
【特許文献２】特開平１０−３６７７１号公報
【特許文献３】特開２００８−３８０４９号公報
【発明の開示】
【発明が解決しようとする課題】
【０００４】
しかし、特許文献１に開示されたコーティグは、アミノ変性ポリシロキサンの吸着性により被洗浄車両の車体表面に付着せしめるものであり、形成される被膜は薄く、撥水性は観られるものの光沢性は低く、車両裏面の小傷を隠すほどの効果は発揮されない。また、繰り返し塗布することで被膜を厚くした場合には、光沢性は向上する反面、塗布ムラが目立つことになる。
【０００５】
また特許文献２および特許文献３に開示された被洗浄車両表面の傷の補正剤は、いずれも湿気硬化性の反応性シリコンを触媒と共に溶剤に溶解分散したものであり、原液を使用した手作業による傷修復処理を目的としている。この補正剤は、その反応機構から水を含有することができないため、引火性を有し、人体及び環境への有害性も強いことが想定される、このような組成物を門型洗車機により広範囲に塗布することは非常に問題である。言い換えると、門型洗車機に用いる補正剤（組成物）は、引火点を持たない水性エマルジョン（乳剤）として使用できることが必須条件である。
【０００６】
そこで、本発明は、門型洗車機を使用し、引火点を持たない、水を含有できる補正剤を使用して簡便且つ迅速に車両表面の小傷を補正すると共に、撥水性、光沢性、滑り性を付与し、美観向上および表面保護を行うことができる洗車方法および洗車機を提供することを目的としたものである。
【課題を解決するための手段】
【０００７】
前述した目的を達成するために、本発明のうち請求項１に記載の発明は、被洗浄車両と洗車機本体を前後方向に相対移動させながら、まず前記被洗浄車両の洗浄を行い、続いて、吸着性および撥水性を有するアミノ変性ポリシロキサンと、光沢性および滑り性を有するポリマー微粒子物質と、前記アミノ変性ポリシロキサンおよびポリマー微粒子物質を乳化および分散する、少なくとも非イオン性界面活性剤またはカチオン性界面活性剤の一方と、水とから構成される表面補正剤を、高圧にて前記被洗浄車両の表面に塗布することを特徴とするものである。
【０００８】
上記方法によれば、被洗浄車両の表面上に、高圧で前記表面補正剤が塗布されることにより、被洗浄車両の表面の小傷（目に見えない凹凸）が補正されると共に、撥水性、光沢性、滑り性が付与され、美観が向上され、表面が保護されるコーティング皮膜が形成される。すなわち、表面補正剤成分のアミノ変性ポリシロキサンは分子内に結合角変形エネルギーの非常に低いシロキサン結合(Ｓｉ−Ｏ)を有することから、分子が変形し易いこと、分子中のメチル基が空気面へ配向する性質があることから、高圧での塗布の物理力により皮膜成分が押し付けられること、および水、空気との接触が繰り返され、分子内のメチル基が空気面へ配向しようとして動くことにより、ポリマー微粒子物質が被洗浄車両の表面の小傷（目に見えない凹凸）を埋めてレベルが均質化された厚い皮膜が塗布ムラなく付着され、よって撥水性、光沢性、滑り性が付与され、美観が向上され、表面が保護される。
【０００９】
また請求項２に記載の発明は、請求項１に記載の発明であって、前記被洗浄車両の洗浄後、前記表面補正剤を塗布する前に、下地剤を、前記被洗浄車両の表面に塗布することを特徴とするものである。
【００１０】
上記方法によれば、表面補正剤を塗布する前に、下地剤が塗布されることにより、表面補正剤の吸着性が向上される。
また請求項３に記載の発明は、請求項１または請求項２に記載の発明であって、前記表面補正剤を、前記被洗浄車両の車幅方向へ揺動させながら、前記被洗浄車両の同じ面へ少なくとも２回塗布することを特徴とするものである。
【００１１】
上記方法によれば、被洗浄車両の上面へ満遍なく、少なくとも表面補正剤が２回、高圧で塗布され、厚みのある均一なコーティング皮膜が形成され、撥水性、光沢性、滑り性、美観がより向上され、表面がより強固に保護される。
【００１２】
また請求項４に記載の発明は、請求項３に記載の発明であって、前記揺動の速度を、前記被洗浄車両の車高が高いほど速くすることを特徴とするものである。
車高が低い被洗浄車両に合わせて揺動の速度が設定されている場合、車高が高くなると、例えば、被洗浄車両の天井部（屋根部分）での表面補正剤の塗布領域（広がり）、すなわち幅が狭くなり、塗布されない領域が生じる。
【００１３】
上記方法によれば、揺動の速度を車高が高くなるほど揺動速度を速くすることにより、車高が低いセダンや車高が高いワンボックスカーといった車種の違いがあっても、また一つの被洗浄車両において車高の変化があっても、例えば、普通乗用車においてボンネット部と天井部（屋根部分）での車高の違いがあっても、車高の高低に関係なく、被洗浄車両の表面に、表面補正剤が塗布されない領域が生じることが防止される。
【００１４】
また請求項５に記載の発明は、被洗浄車両と洗車機本体を前後方向に相対移動させながら、洗浄手段により前記被洗浄車両の洗浄を行うとともに、乾燥手段により被洗浄車両の乾燥を行う洗車機であって、
前記洗車機本体に、吸着性および撥水性を有するアミノ変性ポリシロキサンと、光沢性および滑り性を有するポリマー微粒子物質と、前記アミノ変性ポリシロキサンおよびポリマー微粒子物質を乳化および分散する、少なくとも非イオン性界面活性剤またはカチオン性界面活性剤の一方と、水から構成される表面補正剤を、前記被洗浄車両に対して高圧で噴射する表面補正剤用高圧噴射ノズルを備えることを特徴とするものである。
【００１５】
上記構成によれば、被洗浄車両の表面上に、表面補正剤用高圧噴射ノズルにより、高圧で上記構成の表面補正剤が塗布されることにより、被洗浄車両の表面の小傷が補正されると共に、撥水性、光沢性、滑り性が付与され、美観が向上され、表面が保護されるコーティング皮膜が形成される。
【００１６】
また請求項６に記載の発明は、請求項５に記載の発明であって、前記洗車機本体に、下地剤を、前記被洗浄車両に対して噴射する下地剤用噴射ノズルを備え、前記下地剤用噴射ノズルより前記被洗浄車両の表面に塗布された下地剤上に、前記表面補正剤用高圧噴射ノズルより高圧で前記表面補正剤が塗布されることを特徴とするものである。
【００１７】
上記構成によれば、表面補正剤を塗布する前に、下地剤用噴射ノズルにより下地剤が塗布されることにより、表面補正剤の吸着性が向上される。
また請求項７に記載の発明は、請求項５または請求項６に記載の発明であって、前記洗車機本体に、前記表面補正剤用高圧噴射ノズルを前記被洗浄車両の車幅方向へ揺動する揺動装置を備え、前記表面補正剤用高圧噴射ノズルを前記揺動装置により揺動させながら、前記表面補正剤が、前記被洗浄車両の同じ面へ少なくとも２回塗布されることを特徴とするものである。
【００１８】
上記構成によれば、揺動装置により表面補正剤用高圧噴射ノズルは前記被洗浄車両の車幅方向へ揺動され、被洗浄車両の上面へ満遍なく表面補正剤が少なくとも２回、高圧で塗布され、厚みのある均一なコーティング皮膜が形成され、撥水性、光沢性、滑り性、美観がより向上され、表面がより強固に保護される。
【００１９】
また請求項８に記載の発明は、請求項７に記載の発明であって、前記洗車機本体に、前記被洗浄車両車両の車高を検出する車高検出器を設け、前記揺動の速度を、前記車高検出器にて検出された車高が高いほど速くさせることを特徴とするものである。
【００２０】
車高が低い被洗浄車両に合わせて揺動の速度が設定されている場合、車高が高くなると、例えば、被洗浄車両の天井部（屋根部分）での表面補正剤の塗布領域（広がり）、すなわち幅が狭くなり、塗布されない領域が生じる。
【００２１】
上記構成によれば、揺動の速度を車高が高くなるほど速くさせることにより、車高が低いセダンや車高が高いワンボックスカーといった車種の違いがあっても、また一つの被洗浄車両において車高の変化があっても、例えば、普通乗用車においてボンネット部と天井部（屋根部分）での車高の違いがあっても、車高の高低に関係なく、被洗浄車両の表面に、表面補正剤が塗布されない領域が生じることが防止される。
【発明の効果】
【００２２】
本発明の洗車方法および洗車機は、表面補正剤を、被洗浄車両の表面に高圧で塗布することにより、簡便且つ迅速に表面の小傷（目に見えない凹凸）を補正できると共に、撥水性、光沢性、滑り性を付与でき、美観を向上でき、さらに表面保護を行うことができる、という効果を有している。
【発明を実施するための最良の形態】
【００２３】
以下、本発明の実施の形態を図面に基づいて説明する。
図１（ａ），（ｂ）は本発明の実施の形態における洗車機の側面図および正面図である。
【００２４】
図１（ａ），（ｂ）に示すように、１１は被洗浄車両（普通車など）１２を跨ぎ、複数個の車輪１３を介して床面Ｆに敷設されたレール（一定経路の一例）１４の上を被洗浄車両１２の前後方向Ｘに走行する門型の洗車機本体であり、前後方向Ｘに一定経路に沿って往復走行される。なお、前記前後方向Ｘと直角な方向を左右方向（車幅方向）Ｙとする。
【００２５】
前記洗車機本体１１内には、洗浄手段として、被洗浄車両１２をブラッシングするブラッシング装置１６（図３）と、被洗浄車両１２へ洗浄水（リンス）、あるいは洗剤（シャンプー）、あるいはアミノ変性シリコンオイルを含む撥水コート剤（下地剤の一例）、あるいはジメチルシリコンオイルを含む鏡面ポリマー剤、あるいはワックス（艶出し剤）、あるいはハイブリッドポリマー剤（詳細は後述する；表面補正剤の一例）を噴霧するスプレー装置１７（図３）が設けられ、さらに乾燥手段として、空気を噴出して被洗浄車両１２を乾燥する乾燥装置１８（図３）が備えられている。
【００２６】
前記スプレー装置１７の一例として、図１に示すように、第１洗浄水ノズル２１と、撥水コートノズル２２Ａと、鏡面ポリマーノズル２２Ｂと、左右一対のチルト式トップＨＰハイブリッドポリマーノズル２３と、左右一対のチルト式サイドＨＰハイブリッドポリマーノズル２４Ａおよび固定式サイドＨＰハイブリッドポリマーノズル２４Ｂと、洗剤ノズル２５と、第２洗浄水ノズル２６と、ワックスノズル２７とが、前部から後部に亘って、この順で配設されている。ここで各ノズル２１，２２Ａ，２２Ｂ，２５〜２７は、たとえばアーチ状に構成されている。
【００２７】
前記第１洗浄水ノズル２１と第２洗浄水ノズル２６は水噴射ノズルの一例を構成しており、これらノズル２１，２６からは、被洗浄車両１２に対して洗浄水（リンス）が噴射される。また撥水コートノズル２２Ａと鏡面ポリマーノズル２２Ｂと洗剤ノズル２５とワックスノズル２７は液剤噴射ノズルの一例を構成しており、前記撥水コートノズル２２Ａからは、被洗浄車両１２に対して水で希釈された撥水コート剤が噴射され、鏡面ポリマーノズル２２Ｂからは、被洗浄車両１２に対して水で希釈された鏡面ポリマー剤が噴射され、また洗剤ノズル２５からは、被洗浄車両１２に対して水により希釈された洗剤が噴射され、またワックスノズル２７からは、被洗浄車両１２に対して水で希釈されたワックスが噴射される。なお、撥水コートノズル２２Ａは、下地剤用噴射ノズルの一例を構成している。
【００２８】
またチルト式トップＨＰハイブリッドポリマーノズル２３とチルト式サイドＨＰハイブリッドポリマーノズル２４Ａと固定式サイドＨＰハイブリッドポリマーノズル２４Ｂは、表面補正剤高圧噴射ノズルの一例を構成しており、チルト式のノズル２３，２４Ａには噴射範囲が円錐形状となるものが使用される。チルト式トップＨＰハイブリッドポリマーノズル２３からは、被洗浄車両１２の上面に対して、水で希釈されたハイブリッドポリマー剤が揺動されながら高圧で噴霧され、またチルト式サイドＨＰハイブリッドポリマーノズル２４Ａからは、被洗浄車両１２の側面に対して、水で希釈されたハイブリッドポリマー剤が揺動されながら高圧で噴射される。また固定式サイドＨＰハイブリッドポリマーノズル２４Ｂからは、チルト式サイドＨＰハイブリッドポリマーノズル２４Ａから噴霧されるハイブリッドポリマー剤が届きにくい被洗浄車両１２の側面下部（普通乗用車ではボンネット部の側面下部、ドアの下部、リア部の側面下部付近）に対して、水で希釈されたハイブリッドポリマー剤が高圧で噴射される。
【００２９】
またブラッシング装置１６の一例として、図１に示すように、被洗浄車両１２の前後面および側面を洗浄する、左右方向Ｙに出退自在なサイドブラシ３１と、被洗浄車両１２の側面下部を洗浄する、左右方向Ｙに出退自在なロッカーブラシ３２と、被洗浄車両１２の上面を洗浄する、昇降自在なトップブラシ３３が配設されている。
【００３０】
さらに乾燥装置１８の一例として、図１に示すように、被洗浄車両１２の前後面および上面を乾燥する、昇降自在なトップノズル３５と、被洗浄車両１２の両側面を乾燥する左右一対のサイドノズル３６と、トップノズル３５にダクトホース３７を介して接続されトップノズル３５へ風を供給する左右一対のトップ側ブロワ装置３８と、サイドノズル３６にダクトホース３９を介して接続されサイドノズル３６へそれぞれ風を供給する左右一対のサイド側ブロワ装置４０が設けられている。
【００３１】
また洗車機本体１１の内部には、図１に示すように、洗車機本体１１の前方に位置して、洗車機本体１１の走行に伴い被洗浄車両１２の側方から車高を検出し車形（シルエット）を読み取るための車形検出センサ（車高検出器の一例）４２が設けられ、洗車機本体１１の車輪１３に、洗車機本体１１を走行するための走行駆動装置（駆動モータ等）４３が連結され、この走行駆動装置４３に走行用エンコーダ４４が連結されている。前記車形検出センサ４２は、被洗浄車両１２の左右側方位置に水平に対向して配置される送受光部からなる光電スイッチを複数、垂直方向に並べて構成されており、被洗浄車両１２により光軸が遮断された光電スイッチを検出することにより、車形検出センサ４２の位置における被洗浄車両１２の車高が検出され、洗車機本体１１の移動距離とセットで車高値を記憶することで被洗浄車両１２の車形が求められる。
【００３２】
また前記洗車機本体１１における右側の縦枠部の前面には、洗車に必要なデータ、例えば、通常の洗車コース（パターン）を設定し、起動、停止などの操作を行う第１操作パネル４６が設けられ、左側の縦枠部の前面には、ＨＰハイブリッドポリマーのノズル２３，２４Ａ，２４Ｂを使用する特殊な洗車コース（パターン）を設定する第２操作パネル４７が設けられている。また第１操作パネル４６の裏面側には、洗車機本体１１の制御装置４８が設けられている。
【００３３】
また洗車機本体１１の右側の縦枠部の内側面には、サイドノズル３６の後方でロッカーブラシ３２の前方との間に位置して、水パネル４９が設けられ、この水パネル４９に対向して、洗車機本体１１の左側の縦枠部の内側面には、ポンプユニット５０が設けられている。
【００３４】
また図２に示すように、洗車機本体１１とは別置きに水供給装置（水供給手段）として、貯水タンク５２と、この貯水タンク５２内に配設される水中ポンプ５３が設けられ、水中ポンプ５３に給水管５４の始端が接続され、給水管５４を介して前記水パネル４９とポンプユニット５０に所定圧力｛通常の圧力；例えば、０．３Ｍｐａ（メガパスカル）｝の水が供給されている。また洗車機本体１１内に、水中ポンプ５３を駆動する第１インバータ５５（図３）が設けられ、水中ポンプ５３の回転数を変えることで、水パネル４９とポンプユニット５０へ供給する水量を調整可能とされている。
【００３５】
水パネル４９には、給水管５４を介して水が供給される主管路５７と、主管路５７から分岐されて各ノズル２１，２２Ａ，２２Ｂ，２５〜２７へそれぞれ水を供給する分岐管路５８が設けられ、各洗浄水ノズル２１，２６の分岐管路５８にそれぞれ第１電磁弁５９が介装され、また各液剤噴射ノズル２２Ａ，２２Ｂ，２５，２７の分岐管路５８にそれぞれ、上流側から順に第２電磁弁６０およびサイフォンインジェクター６１が介装されている。
【００３６】
また液剤噴射用の各ノズル２２Ａ，２２Ｂ，２５，２７の分岐管路５８にそれぞれ、サイフォンインジェクター６１を介して液剤供給装置（液剤供給手段）６２が接続されている。この液剤供給装置６２は、貯液タンク６３と、この貯液タンク６３から前記サイフォンインジェクター６１に亘って設けられる液剤管路６４Ａから構成され、液剤管路６４Ａに第３電磁弁６４Ｂが介装されている。
【００３７】
ここで、撥水コートノズル２２Ａに対応する貯液タンク６３に、液剤として、液状の撥水コート剤が貯えられ、また鏡面ポリマーノズル２２Ｂに対応する貯液タンク６３に、液剤として、液状の鏡面ポリマー剤が貯えられている。また洗剤ノズル２５とワックスノズル２７にそれぞれ対応する貯液タンク６３には、液剤として、液状の洗剤とワックスとが貯えられている。前記各液剤としては、原液もしくは所定濃度に希釈されたものが適宜用いられる。液剤噴射用の各ノズル２２Ａ，２２Ｂ，２５，２７からは、第２電磁弁６０および第３電磁弁６４Ｂが開動作されたときに、希釈された液剤が噴射され、第２電磁弁６０が開動作され、かつ第３電磁弁６４Ｂが閉動作されたときに洗浄水（リンス）が噴射される。
【００３８】
またポンプユニット５０には、図２に示すように、給水管５４に接続されて、チルト式トップＨＰハイブリッドポリマーノズル２３とサイドＨＰハイブリッドポリマーノズル２４Ａ，２４Ｂに高圧（例えば、２．６Ｍｐａ）に昇圧された高圧水を供給する高圧ポンプ（高圧水供給手段）６５が設けられ、洗車機本体１１内に、高圧ポンプ６５を駆動する第２インバータ６６（図３）が設けられ、高圧ポンプ６５の回転数を変えることで、チルト式トップＨＰハイブリッドポリマーノズル２３とサイドＨＰハイブリッドポリマーノズル２４Ａ，２４Ｂへ供給する水量と圧力を調整可能とされている。ここで、「高圧」とは、「通常の圧力」の６〜１０倍の圧力であり、８〜９倍の圧力が好ましい。
【００３９】
またポンプユニット５０には、高圧ポンプ６５の高圧水の吐出口に接続された主高圧水管路６７が設けられ、この主高圧水管路６７より、ノズル２３に接続される副高圧水管路６８Ａとノズル２４Ａ，２４Ｂに接続される副高圧水管路６８Ｂが分岐されている。またポンプユニット５０内には、主高圧水管路６７に上流側から順に介装されて第４電磁弁６９およびサイフォンインジェクター７０が設けられ、さらに主高圧水管路６７に、サイフォンインジェクター７０を介して接続されるハイブリッドポリマー供給装置（表面補正剤供給手段）７１が設けられている。このハイブリッドポリマー供給装置７１は、ハイブリッドポリマー剤が貯えられた貯液タンク７２と、この貯液タンク７２から前記サイフォンインジェクター７０に亘って設けられるハイブリッドポリマー管路７３Ａから構成され、ハイブリッドポリマー管路７３Ａに第５電磁弁７３Ｂが介装されている。チルト式トップＨＰハイブリッドポリマーノズル２３とサイドＨＰハイブリッドポリマーノズル２４Ａ，２４Ｂとからは、第４電磁弁６９および第５電磁弁７３Ｂが開動作されたときに、希釈されたハイブリッドポリマー剤が噴射され、第４電磁弁６９が開動作され、かつ第５電磁弁７３Ｂは閉動作されたときに高圧の洗浄水（リンス）が噴射される。
【００４０】
前記ハイブリッドポリマー剤は、引火点を持たない、水を含有できる表面補正剤であり、吸着性、撥水性に優れたアミノ変性ポリシロキサン（Ｉ）と、光沢、滑り性に優れたポリマー微粒子物質（II）と、上記（Ｉ）(II)を乳化及び分散せしめる、少なくとも非イオン性界面活性剤またはカチオン性界面活性剤（III）の一方と水から構成され、原液または所定濃度に希釈されたものが適宜用いられる。
【００４１】
また洗車機本体１１に、チルト式トップＨＰハイブリッドポリマーノズル２３を被洗浄車両１２の左右方向Ｙへ揺動するトップ揺動装置７５（図４）と、各チルト式サイドＨＰハイブリッドポリマーノズル２４Ａを被洗浄車両１２の上下方向へ揺動する左右一対のサイド揺動装置７６（図４）が設けられている。
【００４２】
前記トップ揺動装置７５は、図５および図６に詳細に示すように、洗車機本体１１の中央上方に水平に取り付けられた支持フレーム部材８１と、この支持フレーム部材８１の左右位置にてそれぞれ取り付けられた軸受８２と、支持フレーム部材８１に前記軸受８２を介してそれぞれ前後方向Ｘの水平軸心回りで回動自在に設けられた回転支持式のエルボ継手（継手部材）８３と、これら各エルボ継手８３の上部に一端側が連結された揺動レバー８４（８４Ａ，８４Ｂ）と、左右における両揺動レバー８４Ａ，８４Ｂの他端部同士を連結する第１連結用ロッド８５と、支持フレーム部材８１の中央寄り位置に設けられたトップ揺動モータ８６と、このトップ揺動モータ８６の出力軸８６ａに取り付けられた回転レバー８７と、この回転レバー８７の先端部（遊端部）と上記一方の揺動レバー８４Ａの他端部とを連結する第２連結用ロッド８８とから構成され、上記各エルボ継手８３の一端側である下側接続口８３ａにチルト式トップＨＰハイブリッドポリマーノズル２３が接続され、各エルボ継手８３の前面接続口８３ｂに副高圧水管路６８が接続され、副高圧水管路６８とチルト式トップＨＰハイブリッドポリマーノズル２３はエルボ継手８３を介して連通されている。また、軸受８２により支持されるエルボ継手８３の軸部８３ｃが水平支持軸に相当している。
【００４３】
このようなトップ揺動装置７５の構成により、トップ揺動モータ８６が駆動されると、回転レバー８７が回転し、この回転により第２連結用ロッド８８が左右に駆動され、これに伴って揺動レバー８４Ａ、第１連結用ロッド８５、揺動レバー８４Ｂが左右に駆動され、よって左右のチルト式トップＨＰハイブリッドポリマーノズル２３が左右方向Ｙに揺動され、ハイブリッドポリマー剤が左右方向Ｙに揺動されながら被洗浄車両１２の上面に高圧に塗布される。
【００４４】
また左右の各サイド揺動装置７６はそれぞれ、洗車機本体１１における左右の各縦枠部に設けられている。一方のサイド揺動装置７６の構成を説明する。他方の構成も同一である。
【００４５】
一方のサイド揺動装置７６は、図７に詳細に示すように、前記縦枠部の縦部材９０に水平に取り付けられた第１支持ブラケット９１Ａと、この第１支持ブラケット９１Ａの下方に、縦部材９０に水平に取り付けられた第２支持ブラケット９１Ｂと、この第２支持ブラケット９１Ｂに取り付けられた軸受９２と、第２支持ブラケット９１Ｂに前記軸受９２を介して前後方向Ｘの水平軸心回りで回動自在に設けられた回転支持式のエルボ継手（継手部材）９３と、このエルボ継手９３の上部に一端側が連結された揺動レバー９４と、第１支持ブラケット９１Ａの下方寄り位置に設けられたサイド揺動モータ９６と、このサイド揺動モータ９６の出力軸９６ａに取り付けられた回転レバー９７と、この回転レバー９７の先端部（遊端部）と上記揺動レバー９４の他端部とを連結する連結用ロッド９８とから構成され、上記揺動レバー９４の上端側にチルト式サイドＨＰハイブリッドポリマーノズル２４Ａが固定されている。
【００４６】
このようなサイド揺動装置７６の構成により、サイド揺動モータ９６が駆動されると、回転レバー９７が回転し、この回転により連結用ロッド９８が上下に駆動され、これに伴って揺動レバー９４が上下に駆動され、よってチルト式サイドＨＰハイブリッドポリマーノズル２４Ａが上下方向に揺動され、ハイブリッドポリマー剤が上下方向に揺動されながら被洗浄車両１２の両側面に高圧で塗布される。
【００４７】
また前記第１操作パネル４６により設定され実行される通常の洗車コースと、第２操作パネル４７により設定され実行される上記特殊な洗車コースについて説明する。図８に示すように、通常の洗車コースには、例えば水洗いコース、クイックワックスコース、ダブルワックスコース、撥水コートコース、鏡面ポリマーコースがあり、特殊な洗車コースには、例えば２往復ハイブリッドポリマーコートコース、３往復ハイブリッドポリマーコートコースがある。特殊な洗車コースは、表面の小傷を埋める効果が大きいので（詳細は後述する）、被洗浄車両１２が、表面の小傷が目立つパール・メタリック車、塗装の色が濃い車（濃色車）の場合に多く選択される。
【００４８】
［水洗いコース］
洗車機本体１１が前進する１往路において、被洗浄車両１２に対して第１洗浄水ノズル２１と第２洗浄水ノズル２６とワックスノズル２７から洗浄水（リンス）が噴霧され、ブラッシング装置１６により被洗浄車両１２の洗浄が行われる。その後、洗車機本体１１が後進する１復路において乾燥装置１８による乾燥が行われる。
【００４９】
［クイックワックスコース］
洗車機本体１１が前進する１往路において、被洗浄車両１２に対して第１洗浄水ノズル２１と撥水コートノズル２２Ａと鏡面ポリマーノズル２２Ｂと第２洗浄水ノズル２６から洗浄水（リンス）が噴霧され、洗剤ノズル２５から洗剤が噴霧され、ワックスノズル２７からワックスが噴霧され、ブラッシング装置１６により被洗浄車両１２の洗浄が行われる。その後、洗車機本体１１が後進する１復路において乾燥装置１８による乾燥が行われる。
【００５０】
［ダブルワックスコース］
洗車機本体１１が前進する第１往路において、被洗浄車両１２に対して第１洗浄水ノズル２１と第２洗浄水ノズル２６から洗浄水（リンス）が噴霧され、ブラッシング装置１６により被洗浄車両１２の洗浄が行われる。その後、洗車機本体１１が後進する第１復路において、洗剤ノズル２５から洗剤が噴霧され、ブラッシング装置１６により被洗浄車両１２の洗浄が行われる。
【００５１】
続いて洗車機本体１１が前進する第２往路において、被洗浄車両１２に対して第１洗浄水ノズル２１と撥水コートノズル２２Ａと鏡面ポリマーノズル２２Ｂと第２洗浄水ノズル２６から洗浄水（リンス）が噴霧され、ワックスノズル２７からワックスが噴霧され、ブラッシング装置１６により被洗浄車両１２の洗浄が行われる。その後、洗車機本体１１が後進する第２復路において乾燥装置１８による乾燥が行われる。
【００５２】
［撥水コートコース］
洗車機本体１１が前進する第１往路において、被洗浄車両１２に対して第１洗浄水ノズル２１と撥水コートノズル２２Ａと鏡面ポリマーノズル２２Ｂと第２洗浄水ノズル２６とワックスノズル２７から洗浄水（リンス）が噴霧され、洗剤ノズル２５から洗剤が噴霧され、ブラッシング装置１６により被洗浄車両１２の洗浄が行われる。その後、洗車機本体１１が後進する第１復路において、乾燥装置１８による乾燥が行われる。
【００５３】
続いて洗車機本体１１が前進する第２往路において、被洗浄車両１２に対して第１洗浄水ノズル２１から洗浄水（リンス）が噴霧され、撥水コートノズル２２Ａから撥水コート剤が噴霧され、ブラッシング装置１６により被洗浄車両１２の洗浄が行われる。その後、洗車機本体１１が後進する第２復路において乾燥装置１８による乾燥が行われる。
【００５４】
この撥水コートコースの実行により、図９（ａ）に示すように、被洗浄車両１２の車体表面に対して撥水コート剤を塗布すると、アミノ変性シリコンからなる皮膜αにより車体表面は覆われる。このとき、微視的には、平面性をあげることができるが、車体表面（塗面）広域の凹凸を埋める能力はないので、光の散乱が発生する。またアミノ変性シリコンからなる皮膜αは、鏡面ポリマー剤とハイブリッドポリマー剤の付着力を強くする特性を有している。
【００５５】
［鏡面ポリマーコートコース］
洗車機本体１１が前進する第１往路において、被洗浄車両１２に対して第１洗浄水ノズル２１と撥水コートノズル２２Ａと鏡面ポリマーノズル２２Ｂと第２洗浄水ノズル２６とワックスノズル２７から洗浄水（リンス）が噴霧され、洗剤ノズル２５から洗剤が噴霧され、ブラッシング装置１６により被洗浄車両１２の洗浄が行われ、その後、洗車機本体１１が後進する第１復路において、第２洗浄水ノズル２６から洗浄水（リンス）が噴霧され、撥水コートノズル２２Ａから撥水コート剤が噴霧される。
【００５６】
続いて洗車機本体１１が前進する第２往路において、被洗浄車両１２に対して第１洗浄水ノズル２１から洗浄水（リンス）が噴霧され、鏡面ポリマーノズル２２Ｂから鏡面ポリマー剤が噴霧される。その後、洗車機本体１１が後進する第２復路において乾燥装置１８による乾燥が行われる。
【００５７】
この鏡面ポリマーコートコースの実行により、続いて図９（ｂ）に示すように、撥水コート剤の塗布によりアミノ変性シリコンからなる皮膜αが形成された（コーティングされた）被洗浄車両１２の車体表面に対して鏡面ポリマー剤を塗布すると、ジメチルシリコンはコロイド状態が大きいことからジメチルシリコンからなる皮膜βにより塗面広域の凹凸が埋められ塗面が平滑とされ、光の散乱がなくなり、光沢と滑らか感が引き出される。
【００５８】
［２往復ハイブリッドポリマーコートコース］
洗車機本体１１が前進する第１往路において、被洗浄車両１２に対して第１洗浄水ノズル２１と第２洗浄水ノズル２６から洗浄水（リンス）が噴霧され、チルト式トップＨＰハイブリッドポリマーノズル２３とサイドＨＰハイブリッドポリマーノズル２４Ａ，２４Ｂから高圧の洗浄水（リンス）が噴霧され、洗剤ノズル２５から洗剤が噴霧され、ブラッシング装置１６により被洗浄車両１２の洗浄が行われる。その後、洗車機本体１１が後進する第１復路において、被洗浄車両１２に対して第２洗浄水ノズル２６から洗浄水（リンス）が噴霧され、撥水コートノズル２２Ａから撥水コート剤が噴霧される。
【００５９】
続いて洗車機本体１１が前進する第２往路において、チルト式トップＨＰハイブリッドポリマーノズル２３は、トップ揺動装置７５により、車形検出センサ４２により検出される被洗浄車両１２の車高の増減により、揺動速度が増減されて（車高が高いと揺動速度が速くされて）左右方向Ｙに揺動され、またチルト式サイドＨＰハイブリッドポリマーノズル２４Ａが、サイド揺動装置７６により、車形検出センサ４２により検出される被洗浄車両１２の車高の増減により、揺動速度が増減されて（車高が高いと揺動速度が速くされて）上下方向へ揺動される。同時に、撥水コート剤が塗布された被洗浄車両１２の車体表面上に対して、チルト式トップＨＰハイブリッドポリマーノズル２３とサイドＨＰハイブリッドポリマーノズル２４Ａ，２４Ｂから高圧でハイブリッドポリマー剤が噴霧され、第２洗浄水ノズル２６から洗浄水（リンス）が噴霧される。その後、洗車機本体１１が後進する第２復路において乾燥装置１８による乾燥が行われる。
【００６０】
この２往復ハイブリッドポリマーコートコースの実行により、被洗浄車両１２の車高が高くなると、チルト式トップＨＰハイブリッドポリマーノズル２３とチルト式サイドＨＰハイブリッドポリマーノズル２４Ａの揺動速度が速くされる。
【００６１】
いま、図１０（ａ）に示すように、チルト式トップＨＰハイブリッドポリマーノズル２３により被洗浄車両１２の上面へハイブリッドポリマー剤の塗布される状態について説明する。
【００６２】
例えば、車高が低い被洗浄車両１２に合わせてチルト式トップＨＰハイブリッドポリマーノズル２３が揺動されている場合、車高が高くなると、被洗浄車両１２の表面での広がりである噴射領域すなわち噴射幅が狭くなる。図１０（ｂ）に車高が低い場合の噴射幅Ａを示し、図１０（ｃ）に車高が高い場合の噴射幅Ｂを示す。すなわち、図１０（ｃ）に示すように、車高が高い場合には、未噴射領域Ｄが生じることになる。しかし、チルト式トップＨＰハイブリッドポリマーノズル２３の揺動速度を速くすると、図１０（ｄ）に示すように、被洗浄車両１２の上面にはハイブリッドポリマー剤が２回塗布され、往路と復路とにおける噴射領域間に生じる未噴射領域Ｄを無くすことができる。勿論、設定される揺動速度と車高とは、洗い残し（未噴射領域Ｄ）がなくなるような関係にされる。
【００６３】
またチルト式サイドＨＰハイブリッドポリマーノズル２４Ａの場合、車高が高くなると、このノズル２４Ａから噴霧しなければならない被洗浄車両１２の側面の範囲が上方に広がるので、被洗浄車両１２の側面の上部に未噴射領域が生じる恐れがある（勿論、被洗浄車両１２の側面高さを考慮してノズル２４Ａの上下方向の揺動角度は設定されているが、側面の上部に未噴射領域が生じる恐れがある）。このチルト式サイドＨＰハイブリッドポリマーノズル２４Ａの揺動速度を速くすると、噴射されるハイブリッドポリマー剤が広がる範囲が上下方向に広くなり、上部の未噴射領域を無くすことができ、また被洗浄車両１２の側面にハイブリッドポリマー剤を２回塗布できる。
【００６４】
またこの２往復ハイブリッドポリマーコースの実行により、図９（ｃ）に示すように、撥水コート剤の塗布によりアミノ変性シリコンからなる皮膜αが形成された（コーティングされた）被洗浄車両１２の車体表面に対してハイブリッドポリマー剤が高圧で塗布されると、アミノ変性ポリシロキサンとポリマー微粒子物質からなるハイブリッド皮膜γが形成される（詳細な化学的作用については後述する）。
【００６５】
［３往復ハイブリッドポリマーコートコース］
洗車機本体１１が前進する第１往路において、被洗浄車両１２に対して第１洗浄水ノズル２１と第２洗浄水ノズル２６から洗浄水（リンス）が噴霧され、チルト式トップＨＰハイブリッドポリマーノズル２３とサイドＨＰハイブリッドポリマーノズル２４Ａ，２４Ｂから高圧の洗浄水（リンス）が噴霧され、洗剤ノズル２５から洗剤が噴霧され、ブラッシング装置１６により被洗浄車両１２の洗浄が行われる。その後、洗車機本体１１が後進する第１復路において、被洗浄車両１２に対して第１洗浄水ノズル２１と第２洗浄水ノズル２６から洗浄水（リンス）が噴霧され、ブラッシング装置１６により被洗浄車両１２の洗浄が行われる。
【００６６】
続いて洗車機本体１１が前進する第２往路において、乾燥装置１８による乾燥が行われる。その後、洗車機本体１１が後進する第２復路において、第２洗浄水ノズル２６から洗浄水（リンス）が噴霧され、撥水コートノズル２２Ａから撥水コート剤が噴霧される。
【００６７】
続いて洗車機本体１１が前進する第３往路において、チルト式トップＨＰハイブリッドポリマーノズル２３は、トップ揺動装置７５により、車形検出センサ４２により検出される被洗浄車両１２の車高の増減により、揺動速度が増減されて（車高が高いと揺動速度が速くされて）左右方向Ｙに揺動され、またチルト式サイドＨＰハイブリッドポリマーノズル２４Ａは、サイド揺動装置７６により、車形検出センサ４２により検出される被洗浄車両１２の車高の増減により、揺動速度が増減されて（車高が高いと揺動速度が速くされて）上下方向へ揺動される。同時に、撥水コート剤が塗布された被洗浄車両１２の車体表面上に対して、チルト式トップＨＰハイブリッドポリマーノズル２３とサイドＨＰハイブリッドポリマーノズル２４Ａ，２４Ｂから高圧でハイブリッドポリマーが噴霧され、第２洗浄水ノズル２６から洗浄水（リンス）が噴霧される。その後、洗車機本体１１が後進する第３復路において乾燥装置１８による乾燥が行われる。
【００６８】
この３往復ハイブリッドポリマーコートコースの実行により、ブラッシングが２回、しっかりと実行され、上記２往復ハイブリッドポリマーコートコースと同様に、被洗浄車両１２の車高が高くなると、チルト式トップＨＰハイブリッドポリマーノズル２３とチルト式サイドＨＰハイブリッドポリマーノズル２４Ａの揺動速度が速くされ、被洗浄車両１２の上面にはハイブリッドポリマー剤が２回、高圧で塗布され、往路と復路とにおける噴射領域間に生じる未噴射領域Ｄが無くされる。
【００６９】
またこの３往復ハイブリッドポリマーコースの実行により、図９（ｃ）に示すように、撥水コート剤の塗布によりアミノ変性シリコンからなる皮膜αが形成された（コーティングされた）被洗浄車両１２の車体表面に対してハイブリッドポリマー剤が高圧で塗布されると、アミノ変性ポリシロキサンとポリマー微粒子物質からなるハイブリッド皮膜γが形成される（詳細な化学的作用については後述する）。
【００７０】
上記選択された洗車コースにおける制御は上記制御装置４８により実行される。すなわち制御装置４８には、図３に示すように、第１操作パネル４６から、洗車に必要なデータ、例えば、選択された通常の洗車コースの設定信号、起動、停止などの操作信号が入力され、第２操作パネル４７から選択された特殊な洗車コースの設定信号が入力され、さらに車形検出センサ４２の検出信号、走行用エンコーダ４４の検出信号が入力され、制御装置４８は、これら操作パネル４６，４７からの信号、およびセンサ類の検出信号に応じて、ブラッシング装置１６（ブラシ３１，３２，３３）、スプレー装置１７（ノズル２１，２６の第１電磁弁５９、ノズル２２Ａ，２２Ｂ，２５，２７の第２電磁弁６０および第３電磁弁６４Ｂ、ノズル２３，２４Ａ，２４Ｂの第４電磁弁６９および第５電磁弁７３Ｂ）、乾燥装置１８（ノズル３５，３６、ブロワ装置３８，４０）、揺動装置７５，７６（揺動モータ８６，９６）、走行駆動装置４３、水中ポンプ５３（第１インバータ５５）、高圧ポンプ６５（第２インバータ６６）を制御して洗車機本体１１全体の動作を制御し、選択された洗車コースに基づく洗車動作を実行している。
【００７１】
以下、被洗浄車両１２の表面に、高圧で揺動されながら噴射されるハイブリッドポリマー剤の作用と効果について説明する。
ハイブリッドポリマー剤は、上述したように、吸着性、撥水性に優れたアミノ変性ポリシロキサン（Ｉ）と、光沢、滑り性に優れたポリマー微粒子物質（II）と、上記（Ｉ）(II)を乳化及び分散せしめる、少なくとも非イオン性界面活性剤またはカチオン性界面活性剤（III）の一方とから構成され、水により希釈されたハイブリッドポリマー（組成物）を、揺動させながら高圧で噴射して被洗浄車両１２に塗布（高圧スプレー塗布）する。
【００７２】
塗装の表面は、微視的に観ると平滑ではなく多数の凹凸が存在し、また、傷ついた表面は更に不均一な状態と成っている。この表面状態の違いにより、補正剤成分の付着状態にも大きなバラツキが生じる。被洗浄車両１２の表面の疎水性部分にはコート剤成分は付着し易く、厚い皮膜を生じる反面、親水性部分では、水膜が残るために付着し難く皮膜の薄い部分が発生し、概観上も光沢ムラと成って現れる。
【００７３】
従来の通常圧（例えば、０．３Ｍｐａ）で本ハイブリッドポリマー剤（組成物）を塗布した場合、皮膜成分の付着性が低く、被洗浄車両１２の表面の小傷を埋め隠すほどの皮膜を形成できない。また、光沢性、滑り性および表面保護性を得るために、ポリマー微粒子物質の配合が不可欠であるが、これにより皮膜粘性が上がりレベリング性が低下することから、被洗浄車両１２の表面に均一な皮膜を形成することができない。しかし、高圧（例えば、２．６Ｍｐａ）のスプレー塗布では、小傷を埋め隠すことのできる厚いハイブリッド皮膜γを、塗布ムラなく付着させることができる。
【００７４】
この原理は以下のように説明される。
ハイブリッドポリマー成分のアミノ変性ポリシロキサンは、分子内に結合角変形エネルギーの非常に低いシロキサン結合(Ｓｉ−Ｏ)を有することから、分子が変形し易いこと、分子中のメチル基が空気面へ配向する性質があることから、高圧スプレーの物理力により皮膜成分が押し付けられること、さらに水、空気との接触が繰り返され、水分と二酸化炭素ＣＯ２が反応し、分子内のメチル基が空気面へ配向しようとして動くことにより、ポリマー微粒子物質が被洗浄車両１２の表面の小傷（目に見えない凹凸）を埋めてレベルが均質化され、硬化した厚い、アミノ変性ポリシロキサンとポリマー微粒子物質からなるハイブリッド皮膜γが塗布ムラなく付着される。よって、撥水性、光沢性、滑り性が付与され、美観が向上し、表面が保護される。このハイブリッド皮膜γは、鏡面ポリマー剤のジメチルシリコンからなる皮膜βと比較して、小傷（目に見えない凹凸）を埋める効果が大きく、また耐久性に優れている。
「アミノ変性ポリシロキサン(Ｉ)」
吸着性、擾水性に優れたアミノ変性ポリシロキサン(Ｉ)(以下成分Ｉと略す)とは、一般的に車両表面用コーティング剤に使用されるアミノ当量１０００〜４０００ｇ／ｍｏｌ、動粘度１００〜３０００ｍｍ２／ｓのものが使用でき、中でも１５００〜３０００ｇ／ｍｏｌ、３００〜２０００ｍｍ２／ｓのものが好ましい。
【００７５】
アミノ当量は、高過ぎると吸着性が低下して被洗浄車両１２の車体表面への付着性が低下し、低すぎると反応性が強まり、成分の黄変等の問題が生ずる。
動粘度は、高過ぎると車体表面にシミやムラが発生し易く、低過ぎると撥水性の低下をきたす。また上記のアミノ当量、動粘度の範囲から、一種又は二種以上の成分を混合して使用することも出来る。
【００７６】
この成分（Ｉ）は、被洗浄車両１２の表面に吸着し撥水性を現すと共に、空気中の水分とＣＯ２により架橋して固体へと変化し、ポリマー微粒子物質のバインダーとして作用する。
「ポリマー微粒子物質(II)」
光沢、滑り性に優れたポリマー微粒子物質(II)(以下成分IIと略す)とは、粒子経１μｍ以下の粒子表面が疎水性のプラスチックで、常温において固体粒子を形成するものであり、透明性、滑り性に優れた硬い物質が好ましい。例えば、ポリエチレン、ポリプロピレン等のポリオレフィン系樹脂、ポリアクリル酸、ポリアクリル酸エステル、ポリアタリレート等のアクリル系樹脂、ポリテトラフルオロエチレン、ポリク口口トリフルオロエチレン、エチレン・テトラフルオロエチレン共重合体等のフッ素系樹脂、メチルフェニルポリシロキサン等のシリコーン系樹脂、ポリウレタン等のウレタン系樹脂、ポリスチレン等のスチレン系樹脂、そしてこれらを結合させてなる共重合樹脂等がある。
【００７７】
そして成分(II)は、成分(Ｉ)と共に車両表面の小傷を埋め、また皮膜表面にブリードすることで高い光沢性、滑り性及び表面保護効果を発揮する。
「非イオン性界面活性剤・カチオン性界面活性剤(III)」
成分(Ｉ)(II)を乳化及び分散せしめる、少なくとも非イオン性界面活性剤またはカチオン性界面活性剤の一方(III)とは、成分(Ｉ)の被洗浄車両１２の表面への吸着性を阻害しない範囲で、一般的なものから選択して使用できる。例えば、非イオン性界面活性剤では、ポリオキシエチレンアルキルエーテル、ポリオキシアルキレンアルキルエーテル、ポリオキシエチレン脂肪酸エステル、ソルピタン脂肪酸エステル、ポリオキシエチレンソルビタン脂肪酸エステル等が使用できる。カチオン性界面活性剤では、四級アンモニウム塩、アルキルアミン塩、又はこれらのエチレンオキサイド付加物等が挙げられる。
【００７８】
なお、本ハイブリッドポリマー組成物に使用する水は、組成物中の他成分へ影響を与えないために、塩類を除去したイオン交換水を使用することが望ましい。
また本ハイブリッドポリマー組成物の調整に於いて、低級アルコール、グリコールエーテル、多価アルコール等の低温安定剤、酸化防止剤、紫外線吸収剤等の成分安定剤、水溶性高分子物質等の乳化安定剤、そして防腐剤、防錆剤、着色剤、香料等の助剤を加えても良い。
〔実施例〕
以下に本発明を更に詳しく説明する。但し、本発明はこれらの実施例によって何ら制限されるものではない。
〔実施例１〕
成分(Ｉ)のアミノ変性ポリシロキサン(アミノ当量１８００ｇ／ｍｏｌ、動粘度１２００ｍｍ２／ｓ)１０質量％と、成分(III)のポリオキシエチレンアルキルエーテル（ＨＬＢ１２）３質量％を混合した後、イオン交換水を加えて攪拌乳化し、成分(II)のオレフィン樹脂(平均粒子径Ｏ．６μｍ、４０％水性ディスバージョン)６質量％を撹拌分散した後、酢酸にてＰＨを５〜７に調整して、実施例１の組成物とした。
〔実施例２〕
成分(Ｉ)のアミノ変性ポリシロキサン(アミノ当量１２００ｇ/ｍｏｌ、動粘度２００ｍｍ２／ｓ)１０質量％と、成分(III)のポリオキシエチレンアルキルエーテル(ＨＬＢ１２)３質量％を混合した後、イオン交換水を加えて攪拌乳化し、成分(II)のオレフィン樹脂(平均粒子径０．６μｍ、４０％水性ディスバージョン)６質量％を撹拌分散した後、酢酸にてｐＨを５〜７に調整して、実施例２の組成物とした。
〔実施例３〕
成分(Ｉ)のアミノ変性ポリシロキサン(アミノ当量３５００ｇ／ｍｏｌ、動粘度２５００ｍｍ２／ｓ)１０質量％と、成分(III)のポリオキシエチレンアルキルエーテル(ＨＬＢ１２)３質量％を混合した後、イオン交換水を加えて攪拌乳化し、成分(II)のオレフィン細脂(平均粒子径０．６μｍ、４０％水性ディスバージョン)６質量％を撹拌分散した後、酢酸にてｐＨを５〜７に調整して、実施例３の組成物とした。
〔比較例１〕
成分(Ｉ)のアミノ変性ポリシロキサン(アミノ当量５００ｇ／ｍｏｌ、動粘度４０ｍｍ２／ｓ)１０質量％と、成分(III)のポリオキシエチレンアルキルエーテル(ＨＬＢ１２)３質量％を混合した後、イオン交換水を加えて撹拌乳化し、成分(II)のオレフィン樹脂(平均粒子経０.６μｍ、４０％水性ディスバージョン)６質量％を撹拌乳化した後、酢酸にてｐＨを５〜７に調整して、比較例１の組成物とした。
〔比較例２〕
成分(Ｉ)のアミノ変性ポリシロキサン(アミノ当量５０００ｇ／ｍｏｌ、動粘度４０００ｍｍ２／ｓ)１０質量％と、成分(III)のポリオキシエチレンアルキルエーテル(ＨＬＥ１２)３質量％を混合した後、イオン交換水を加えて攪拌乳化し、成分(II)のオレフィン樹脂(平均粒子径０.６μｍ、４０％水性ディスバージョン)６質量％を攪拌分散した後、酢酸にてｐＨを５〜７に調整して、比較例２の組成物とした。
〔比較例３〕
成分(Ｉ)のアミノ変性ポリシロキサン(アミノ当量１８００ｇ／ｍｏｌ、動粘度１２００ｍｍ２／ｓ)１０質量％と、成分（III）のポリオキシエチレンアルキルエーテル(ＨＬＢ１２)３質量％を混合した後、イオン交換水を加えて撹拌乳化し、成分(II)のシリコーン樹脂(平均粒子径２μｍ)２．４質量％を撹拌分散した後、酢酸にてｐＨを５〜７に調整して、比較例３の組成物とした。
「試験」
[試験方法]
被洗浄車両１２の表面を、洗剤を用いて、完全に水濡れ状態と成るまで洗浄し、次に水道水にて２００倍に希釈された補正剤組成物を高圧スプレー塗布した。更に水洗い、乾燥後に、塗装面の状態を目視判定した。
【００７９】
補正剤希釈液の塗布方法は、通常の圧力のスプレーによる場合を(Ａ)、本発明の高圧のスプレーによる場合を(Ｂ)としてそれぞれ実施した。
[評価方法および評価基準]
各試験法の評価方法および評価基準は次の通りである,
〔傷修復性・光沢性〕
目視観察により以下の基準で評価した。
◎:小傷が観えず、鏡の様にはっきりと景色が映り、光沢の向上が観られた。
○;やや小傷は観えるが、光沢の向上が観られた。
×:小傷が目立ち、未処理部分とほとんど差異が認められない。
[皮膜の均質性],
目視観察により以下の基準で評価した。
◎;光沢ムラが無く均質な皮膜が得られた。
○;やや光沢ムラはあるが、殆ど均質な皮膜が得られた。
×:光沢ムラや水滴跡、シミ等が観られ不均一である。
〔撥水性〕
洗車機本体１１にて水をスプレーした後、水玉の様子を目視観察により以下の基準で評価した。
◎:水滴が球形に近く、水滴が流れ落ちてゆく状態。
○;水滴が半円形に近く、水滴の流れも遅い。
×:水滴が不均一で、水濡れする部分がある。
[滑り性]
ペーパータオルに５００ｇの分銅を包み、ボンネットの傾斜面に静かに置き、その挙動を目視観察して以下の基準で評価した。
◎:手を離すと直ぐに滑り落ちる。
○:ゆっくりと滑り落ちる。
×:未処理部分とほとんど差異が無くあまり滑らない。
[試験結果]
試験結果を表１に示す。
【００８０】
【表１】
2010125950.tif 000003
[評価結果／評論]
実施例１から３のＢ工程では、効果の違いはあるがいずれも傷修復性、撥水性、光沢性、滑り性に於いて十分な性能を有していた。これらは、発明の効果を如実に現している。
また、Ａ工程では、いずれの組成物でも、小傷を埋め隠すほどの皮膜を形成することはできず、均質性に於いてもシミ、ムラが発生した。
【００８１】
また、比較例１、２においては、Ａ、Ｂどちらの工程でも小傷を埋め隠す均質な皮膜は得られなかった。比較例１は、アミノ変性ポリシロキサンのアミノ当量が低く水溶性が強いため十分な付着性が得られず、動粘度が低いため均質性は良好である反面、皮膜も薄くなり滑り性が発揮されない結果と成った。
【００８２】
更に、比較例２では、アミノ変性シロキサンのアミノ当量および動粘度が高すぎるため、皮膜成分の性能は高いが付着性に劣り、本発明の高圧スプレー塗布を行っても均質化することができなかった。
【００８３】
そして比較例３は、ポリマー微粒子物質の粒子経が大き過ぎ、車両表面に形成する皮膜がパウダリングしてしまい、本来の皮膜性能を発揮できなかった。
前述の試験結果から、洗車機本体１１を用いて簡便且つ迅速に被洗浄車両１２の車体表面の小傷を補正するためには、チルト式トップＨＰハイブリッドポリマーノズル２３とサイドＨＰハイブリッドポリマーノズル２４Ａ，２４Ｂからの高圧スプレー塗布および補正剤組成物を併せて使用することが必須条件であることが実証された。
【００８４】
以上のように本実施の形態によれば、被洗浄車両１２の表面に、高圧でハイブリッドポリマー剤が塗布されることにより、簡便且つ迅速に自動で被洗浄車両１２の表面の小傷（目に見えない凹凸）を補正することができ、撥水性、光沢性、滑り性を付与でき、美観を向上でき、表面が保護されるコーティング皮膜を形成することができる。特に、被洗浄車両１２が、表面の小傷が目立つパール・メタリック車、塗装の色が濃い車（濃色車）の場合、有効である。
【００８５】
また本実施の形態によれば、撥水コート剤（下地剤）が塗布され、この撥水コート剤の上に、ハイブリッドポリマー剤を塗布することにより、ハイブリッドポリマー剤の吸着性を向上することができる。
【００８６】
また本実施の形態によれば、ハイブリッドポリマー剤を、被洗浄車両１２の上面と両側面へは揺動しながら塗布し、このとき揺動速度を車高が高くなるほど速くすることにより、被洗浄車両１２の上面と両側面へハイブリッドポリマー剤を２回塗布することができ、撥水性、光沢性、滑り性、美観をより向上でき、表面をより強固に保護でき、さらに車高が低いセダンや車高が高いワンボックスカーといった車種の違いがあっても、また一つの被洗浄車両１２において車高の変化があっても、例えば、普通乗用車においてボンネット部と天井部（屋根部分）での車高の違いがあっても、車高の高低に関係なく、被洗浄車両１２の表面に、ハイブリッドポリマー剤が塗布されない領域が生じることを防止でき、被洗浄車両１２の表面へ満遍なく均一にハイブリッドポリマー剤を塗布することができる。
【００８７】
また本実施の形態によれば、新たに「２往復ハイブリッドポリマーコートコース」と「３往復ハイブリッドポリマーコートコース」を設け、ハイブリッドポリマー剤を被洗浄車両１２の表面に塗布する洗車コースを実行することにより、被洗浄車両１２の洗浄のみでなく、被洗浄車両１２の表面の凹凸が補正できると共に、被洗浄車両１２に撥水性、光沢性、滑り性を付与でき、美観を向上できる。
【００８８】
なお、本実施の形態では、第１操作パネル４６と第２操作パネル４７を別々に設けているが、機能を統合して１つの操作パネルとすることも可能である。
また本実施の形態では、車高検出器として車形検出センサ４２を備えているが、車形検出センサ４２に限ることはなく、超音波センサなどにより被洗浄車両１２の車高を検出するようにしてもよい。
【００８９】
また本実施の形態では、被洗浄車両１２の表面に、ハイブリッドポリマー剤を２回塗布することを実現しているが、２回に限ることはなく、さらにチルト式トップＨＰハイブリッドポリマーノズル２３とチルト式サイドＨＰハイブリッドポリマーノズル２４Ａの揺動速度を速くすることにより、さらに多くの回数、塗布するようにすることもできる。
【００９０】
また本実施の形態では、チルト式トップＨＰハイブリッドポリマーノズル２３は、高さが一定の位置に配置されているが、例えば、上下に昇降自在なトップノズル３５の機構を使用して、被洗浄車両１２の車体上面の形状に合わせて昇降できる構成とすることもできる。
【００９１】
また本実施の形態では、洗車機本体１１のみを移動させ、洗車機本体１１と被洗浄車両１２を相対移動させて、被洗浄車両１２の洗車を行う形式が示されているが、これは洗車機本体１１を固定状態とし、ローラコンベヤ（車両移動手段）などを用いて被洗浄車両１２を前後方向Ｘに移動させて、相対移動するようにした形式などであってもよい。また、洗車機本体１１を、洗浄装置を備えた前部本体と乾燥装置を備えた後部本体とに分離し、これら前部本体と後部本体とをそれぞれ移動可能とした形式などであってもよい。
【００９２】
また本実施の形態では、被洗浄車両１２を乗用車としているが、例えばワンボックス系など他の車両であっても、同様の効果を奏し得ることができる。
【図面の簡単な説明】
【００９３】
【図１】本発明の実施の形態における洗車機の構成を示す図であり、（ａ）は側面図、（ｂ）は正面図である。
【図２】同洗車機における水・液剤供給装置の構成を示す配管系統図である。
【図３】同洗車機における制御構成図である。
【図４】同洗車機におけるトップ揺動装置の配置を示す斜視図である。
【図５】同洗車機におけるトップ揺動装置の構成を示す図であり、（ａ）は平面図、（ｂ）は正面図である。
【図６】同洗車機におけるトップ揺動装置の側面図である。
【図７】同洗車機におけるサイド揺動装置の構成を示す図であり、（ａ）は正面図、（ｂ）は側面図、（ｃ）は（ａ）図のＡ矢視図である。
【図８】同洗車機において各洗車コースにおける各機器の制御を説明する説明図である。
【図９】同洗車機において撥水コートと鏡面ポリマー剤とハイブリッドポリマー剤が塗布された被洗浄車両の車体表面の状態を示す説明図である。
【図１０】同洗車機におけるチルト式トップＨＰハイブリッドポリマーノズルによるハイブリッドポリマー剤の塗布状態を説明する図で、（ａ）は側面図、（ｂ）は車高が低い場合における噴射幅を示す図、（ｃ）は車高が高い場合の噴射幅を示す図、（ｄ）は（ｃ）において揺動速度を速くした場合の噴射幅を示す図である。
【符号の説明】
【００９４】
α    アミノ変性シリコンからなる皮膜
β    ジメチルシリコンからなる皮膜
γ    アミノ変性ポリシロキサンとポリマー微粒子物質からなるハイブリッド皮膜
１１  洗車機本体
１２  被洗浄車両
１６  ブラッシング装置
１７  スプレー装置
１８  乾燥装置
２１  第１洗浄水ノズル
２２Ａ  撥水コートノズル
２２Ｂ  鏡面ポリマーノズル
２３  チルト式トップＨＰハイブリッドポリマーノズル
２４Ａ  チルト式サイドＨＰハイブリッドポリマーノズル
２４Ｂ  固定式サイドＨＰハイブリッドポリマーノズル
２５  洗剤ノズル
２６  第２洗浄水ノズル
２７  ワックスノズル
４６  第１操作パネル
４７  第２操作パネル
４８  制御装置
４９  水パネル
５０  ポンプユニット
５３  水中ポンプ
６５  高圧ポンプ
７１  ハイブリッドポリマー供給装置
７５  トップ揺動装置
７６  サイド揺動装置
【図１】
2010125950.tif 000004
【図２】
2010125950.tif 000005
【図３】
2010125950.tif 000006
【図４】
2010125950.tif 000007
【図５】
2010125950.tif 000008
【図６】
2010125950.tif 000009
【図７】
2010125950.tif 000010
【図８】
2010125950.tif 000011
【図９】
2010125950.tif 000012
【図１０】
2010125950.tif 000013